(57)【要約】【課題】表示の品質を向上させることができる電気泳動表示装置などを提供する。【解決手段】電気泳動表示装置では、互いに対向して配置される第１の基板および第２の基板と、前記第１の基板と前記第２の基板との間に配置される分散液と、前記第１の基板と前記第２の基板との間に配置されて前記分散液を区画する隔壁と、前記分散液に含まれる粒子の移動を抑制する移動抑制部と、を備え、前記第２の基板から前記移動抑制部に光が入るときの第１の臨界角と、前記移動抑制部から前記分散液に含まれる分散媒に光が入るときの第２の臨界角に関し、前記第２の臨界角の値は前記第１の臨界角以上の値である。【選択図】図２
2017058401.tif 000002
【特許請求の範囲】
【請求項１】
互いに対向して配置される第１の基板および第２の基板と、前記第１の基板と前記第２の基板との間に配置される分散液と、前記第１の基板と前記第２の基板との間に配置されて前記分散液を区画する隔壁と、前記分散液に含まれる粒子の移動を抑制する移動抑制部と、を備え、
前記第２の基板から前記移動抑制部に光が入るときの第１の臨界角と、前記移動抑制部から前記分散液に含まれる分散媒に光が入るときの第２の臨界角に関し、前記第２の臨界角の値は前記第１の臨界角以上の値である、
電気泳動表示装置。
【請求項２】
前記隔壁は、前記第１の基板の側に備えられ、
前記移動抑制部は、前記第２の基板の側に備えられ、
前記移動抑制部は、弾性体を用いて構成されており、前記隔壁により変形させられている、
請求項１に記載の電気泳動表示装置。
【請求項３】
前記移動抑制部は、接合体であり、前記第２の基板の前記分散液が配置されている面に備えられている、
請求項１または請求項２のいずれか１項に記載の電気泳動表示装置。
【請求項４】
光源が実装される第３の基板と、前記第２の基板の側に配置されて前記光源からの光を導光する導光体と、を備えた、
請求項１から請求項３のいずれか１項に記載の電気泳動表示装置。
【請求項５】
請求項１から請求項４のいずれか１項に記載の電気泳動表示装置を備える電子機器。
【発明の詳細な説明】
【技術分野】
【０００１】
本発明は、電気泳動表示装置および電子機器に関する。
【背景技術】
【０００２】
電気泳動表示装置（ＥＰＤ：Ｅｌｅｃｔｒｏｐｈｏｒｅｔｉｃ  Ｄｉｓｐｌａｙ）は、例えば、電子ペーパーなどで用いられている（特許文献１参照。）。
電気泳動表示装置は、帯電性および分散性を有する粒子が注入された溶媒に電圧を印加して、当該粒子を所定の電極の側に動かすことで、色および反射率が異なる粒子を分離させて、表示の内容を変えることができる。一例として、白に対応する粒子（「白色粒子」という。）および黒に対応する粒子（「黒色粒子」という。）を用いた白黒表示体では、一般に、白色粒子の光散乱を利用して白を表示させ、黒色粒子の光吸収性を利用して黒を表示させている。
電気泳動表示装置は、例えば、外光の反射により表示のコントラストが得られる反射型の表示装置として構成される。この場合、電気泳動表示装置では、夜間等の暗所で使用する場合を想定して、積層配置された導光板、および表示面を照らすフロントライト等の光源を有している。このことは、市販されている電気泳動表示装置でも同様である。
【先行技術文献】
【特許文献】
【０００３】
【特許文献１】特開２０１５−１８０６０号公報
【発明の概要】
【発明が解決しようとする課題】
【０００４】
フロントライトを用いた反射型の表示装置として構成される電気泳動表示装置では、一般に、表示面に光が均一に当たるように、当該表示面の上部に導光板を配置させて、当該導光板の側面の光源から光を当該導光板に入光させる。また、電気泳動表示装置では、例えば、隔壁ごとに仕切られた空間（セル）の間を分散液（分散媒、粒子）が移動することを抑制（例えば、防止）するために、表示面の側に接合層を設け、さらに、隔壁を当該接合層に食い込ませる構造とする必要がある。しかしながら、このような食い込みの構造では、接合層が変形し、そして、フロントライトの点灯時の光が、当該接合層の変形部で反射（あるいは、屈折）して、表示面に筋状の輝線（筋状輝線）が発生して外観不良が発生する場合があった。
【０００５】
さらに、筋状の輝線により、黒表示における反射率が上昇して、コントラストが著しく低下する場合があった。
このような原因となる光線の経路（光路）としては、次の３つの経路である（経路１）〜（経路３）がある。
（経路１）発光ダイオード（ＬＥＤ：Ｌｉｇｈｔ  Ｅｍｉｔｔｉｎｇ  Ｄｉｏｄｅ）からの漏れ光による側面入射光の経路。
（経路２）導光板からの漏れ光（つまり、導光板の導光パターンを通らない光）の経路。
（経路３）導光板の導光パターンによる入射光（つまり、導光板の導光パターンを通る光）の経路。
【０００６】
本発明は、前記の点に鑑み為されたものであり、表示の品質を向上させることができる電気泳動表示装置および電子機器を提供することを目的とする。
【課題を解決するための手段】
【０００７】
上記課題の少なくとも一つを解決するために本発明の一態様は、互いに対向して配置される第１の基板および第２の基板と、前記第１の基板と前記第２の基板との間に配置される分散液と、前記第１の基板と前記第２の基板との間に配置されて前記分散液を区画する隔壁と、前記分散液に含まれる粒子の移動を抑制する移動抑制部と、を備え、前記第２の基板から前記移動抑制部に光が入るときの第１の臨界角と、前記移動抑制部から前記分散液に含まれる分散媒に光が入るときの第２の臨界角に関し、前記第２の臨界角の値は前記第１の臨界角以上の値である、電気泳動表示装置である。
この構成により、電気泳動表示装置では、第２の基板から移動抑制部に光が入るときの第１の臨界角と、移動抑制部から分散液に含まれる分散媒に光が入るときの第２の臨界角に関し、第２の臨界角の値は第１の臨界角以上の値である。これにより、電気泳動表示装置では、例えば反射光の影響を抑制して、表示の品質を向上させることができる。
【０００８】
本発明の一態様は、電気泳動表示装置において、前記隔壁は、前記第１の基板の側に備えられ、前記移動抑制部は、前記第２の基板の側に備えられ、前記移動抑制部は、弾性体を用いて構成されており、前記隔壁により変形させられている、構成が用いられてもよい。
この構成により、電気泳動表示装置では、隔壁は第１の基板の側に備えられ、移動抑制部は第２の基板の側に備えられ、移動抑制部は弾性体を用いて構成されており隔壁により変形させられている。これにより、電気泳動表示装置では、例えば移動抑制部の変形部（食い込み構造）によって発生する筋状の輝線の影響を抑制して、表示の品質を向上させることができる。
【０００９】
本発明の一態様は、電気泳動表示装置において、前記移動抑制部は、接合体であり、前記第２の基板の前記分散液が配置されている面に備えられている。
この構成により、電気泳動表示装置では、移動抑制部は、接合体であり、第２の基板の分散液が配置されている面に備えられている。これにより、電気泳動表示装置では、例えば接合体の変形部（食い込み構造）によって発生する筋状の輝線の影響を抑制して、表示の品質を向上させることができる。
【００１０】
本発明の一態様は、電気泳動表示装置において、光源が実装される第３の基板と、前記第２の基板の側に配置されて前記光源からの光を導光する導光体と、を備えた、構成が用いられてもよい。
この構成により、電気泳動表示装置では、第２の基板の側から光を導光する。これにより、電気泳動表示装置では、光を導光する場合に、表示の品質を向上させることができる。
【００１１】
上記課題の少なくとも一つを解決するために本発明の一態様は、上記の電気泳動表示装置を備える電子機器である。
この構成により、電子機器では、上記の電気泳動表示装置を備える。これにより、電子機器では、電気泳動表示装置において、表示の品質を向上させることができる。
【００１２】
以上のように、本発明に係る電気泳動表示装置および電子機器によれば、電気泳動表示装置において、第２の基板から移動抑制部に光が入るときの第１の臨界角と、移動抑制部から分散液に含まれる分散媒に光が入るときの第２の臨界角に関し、第２の臨界角の値は第１の臨界角以上の値である。これにより、本発明に係る電気泳動表示装置および電子機器では、電気泳動表示装置において、表示の品質を向上させることができる。
【図面の簡単な説明】
【００１３】
【図１】本発明の一実施形態に係る電気泳動表示装置の概略的な構成例を示す図である。
【図２】本発明の一実施形態に係る電気泳動表示装置の表示部の構成例を示す図である。
【図３】本発明の一実施形態に係る隔壁および接合層の構成例を示す図である。
【図４】本発明の一実施形態に係る入射角に対する反射強度の一例を示す図である。
【図５】（Ａ）〜（Ｃ）は本発明の実施形態に係る電子機器の概略的な構成例を示す図である。
【図６】背景技術に係る表示部の構成例および筋状の輝線を発生させる光線の経路を示す図である。
【図７】背景技術に係る筋状輝線となる光線を示す図である。
【発明を実施するための形態】
【００１４】
本発明の実施形態について図面を参照して詳細に説明する。
【００１５】
［背景技術に係る画素の構成および筋状の輝線の説明］
まず、図６および図７を参照して、背景技術に係る表示部の画素の構成および筋状の輝線について説明する。
図６は、背景技術に係る表示部２００１の構成例および筋状の輝線を発生させる光線の経路を示す図である。図６は、表示部２００１の断面側面図であり、外周の側面に位置する一部の画素領域に係る部分を示してある。
表示部２００１は、互いに対向する第１の基板（「駆動基板」という。）２１０１と第２の基板（「対向基板」という。）２１０２を備える。表示部２００１は、駆動基板２１０１および対向基板２１０２の外周の側面に、封止部２１０３を備える。
表示部２００１は、駆動基板２１０１と対向基板２１０２との間であって、対向基板２１０２の側に、接合層２１０４を備える。
表示部２００１は、駆動基板２１０１と接合層２１０４との間に、画素領域ごとに仕切る隔壁２１０５を備える。隔壁２１０５は複数備えられ、これにより、それぞれの画素領域ごとの空間（セル）が形成される。
表示部２００１は、それぞれの画素領域ごとに、駆動基板２１０１と接合層２１０４との間に、分散液２１０６を備える。分散液２１０６は、例えば、分散媒と、複数の白色粒子と、複数の黒色粒子を含む。分散液２１０６は、外周の側面では、封止部２１０３により封止される。
なお、駆動基板２１０１および対向基板２１０２とこれらで挟まれる部分により電気泳動パネルが構成されている。
【００１６】
ここで、隔壁２１０５は、接合層２１０４と接していて、当該接合層２１０４を押圧している。このように隔壁２１０５が接合層２１０４に押し当てられた構造（食い込み構造）により、接合層２１０４が当該隔壁２１０５の周囲で変形している。
【００１７】
駆動基板２１０１は、それぞれの画素領域ごとに、電極（画素電極２１２１）を備える。
対向基板２１０２は、複数の画素領域に共通な電極（共通電極２１２２）を備える。
本構成例では、制御部（図示せず）が、それぞれの画素領域ごとに、画素電極２１２１に印加される電圧を制御することにより、白の表示または黒の表示とすることが行われる。なお、共通電極２１２２に印加される電圧は、一定の電圧であってもよく、または、制御部により可変に制御されてもよい。
【００１８】
表示部２００１は、対向基板２１０２に対向する位置であって駆動基板２１０１とは反対の位置に、導光板２１０７を備える。また、表示部２００１は、対向基板２１０２と導光板２１０７との間に、これらを固定する透明接着剤からなる透明接着層２１０８を備える。
表示部２００１は、発光部であるＬＥＤ２１１０が実装された第３の基板（「配線基板」という。）２１０９を備える。配線基板２１０９は、ＬＥＤ２１１０から発せられる光が導光板２１０７の側面から入射される位置に配置されている。なお、配線基板２１０９は、例えば、フレキシブル基板から構成される。
【００１９】
ここで、図６には、３つの光線の経路Ｇ１〜Ｇ３が示されている。
経路Ｇ１は、上記した課題で示した（経路１）に相当し、つまり、ＬＥＤ２１１０からの漏れ光による側面入射光の経路である。
経路Ｇ２は、上記した課題で示した（経路２）に相当し、つまり、導光板２１０７からの漏れ光（つまり、導光板２１０７の導光パターンを通らない光）の経路である。
経路Ｇ３は、上記した課題で示した（経路３）に相当し、つまり、導光板２１０７の導光パターンによる入射光（つまり、導光板２１０７の導光パターンを通る光）の経路である。
【００２０】
図７は、背景技術に係る筋状輝線となる光線を示す図である。
図７には、接合層２１０４および隔壁２１０５が示されている。また、図７には、筋状輝線となる光線が示されている。図７は、断面側面図であり、一部の画素領域に係る部分を示してある。
【００２１】
なお、本構成例では、分散液２１０６の分散媒として、屈折率が１．３９であるシリコーンオイル（Ｓｉ−ｏｉｌ）が用いられている。接合層２１０４として、屈折率が１．５２である材質の層が用いられている。隔壁２１０５として、屈折率が１．６２である材質からなり、直径が約５μｍ（半径が約２．５μｍ）である円柱状の部材が用いられている。接合層２１０４の一方の面（隔壁２１０５の側の面）に隔壁２１０５が押し当てられることで、当該隔壁２１０５が当該接合層２１０４の面よりも約２．５μｍだけ当該接合層２１０４の内部に入り込んでいる（食い込んでいる）。共通電極２１２２は、屈折率が１．９であるＩＴＯ（インジウム・スズ酸化物）を用いて構成されている。対向基板２１０２は、屈折率が１．５２であるガラスの基板を用いて構成されている。
【００２２】
（第１実施形態）
次に、本実施形態に係る電気泳動表示装置について説明する。
図１は、本発明の一実施形態に係る電気泳動表示装置１の概略的な構成例を示す図である。図１は、電気泳動表示装置１の平面図である。
電気泳動表示装置１は、表示部１１と、制御部１２を備える。
表示部１１は、縦および横（マトリクス状）に配置された複数の画素領域２１を備える。
制御部１２は、それぞれの画素領域２１ごとに、分散液に印加する電圧を制御することにより、表示する色を制御する。本実施形態では、それぞれの画素領域２１ごとに、分散媒とともに白色粒子および黒色粒子を含む分散液を有しており、白色粒子を用いた白の表示または黒色粒子を用いた黒の表示が可能である。
【００２３】
図２は、本発明の一実施形態に係る電気泳動表示装置１の表示部１１の構成例を示す図である。図２は、表示部１１の断面側面図であり、外周の側面に位置する一部の画素領域２１に係る部分を示してある。
なお、本実施形態では、複数の画素領域２１のうち、外周に面しない２以上の画素領域２１の構成は同じであり、また、外周に面した２以上の画素領域２１の構成は同じであり、また、これらは外周に面するか否かに応じた相違部分以外は同じ構成である。
【００２４】
表示部１１は、画素領域２１ごとの電極（画素電極１１１）を有する第１の基板（駆動基板１０１）と、複数の画素領域２１に共通な電極（共通電極１１２）を有する第２の基板（対向基板１０２）と、外周の側面の封止部１０３と、分散媒と複数の白色粒子と複数の黒色粒子を有する分散液１０４と、接合層（図２では、図示を省略）および複数の隔壁（図２では、図示を省略）と、導光板１０５と、透明接着層１０６と、例えばフレキシブル基板から構成される第３の基板（配線基板１０７）と、配線基板１０７に設けられたＬＥＤ１０８を備える。
本実施形態では、配線基板１０７の一方の面（ＬＥＤ１０８が設けられている方の面）が導光板１０５の一方の面（対向基板１０２の側の面）に接せられて貼り合わされている。
【００２５】
ここで、導光板１０５は、ＬＥＤ１０８から発せられる光を導光する導光部（導光体）の一例である。当該導光部としては、例えば、板以外の形状の部材が用いられてもよい。
また、接着層（本実施形態では、透明接着層１０６）は、対向基板１０２と導光板１０５とを接着して固定するための接着剤を含む接着部の一例である。当該接着部としては、例えば、層以外の形状の部材が用いられてもよい。なお、対向基板１０２と導光板１０５とを固定する方法としては、接着剤を用いる方法以外の方法が用いられてもよく、例えば、フレームなどの部材を用いて導光板１０５を支える方法などが用いられてもよい。
また、接合層は、分散液１０４の移動を抑制する移動抑制部である接合体の一例である。当該接合体としては、例えば、層以外の形状の部材が用いられてもよい。
また、ＬＥＤ１０８は、光を発する光源（発光部）の一例である。当該光源としては、ＬＥＤ以外のものが用いられてもよい。
【００２６】
［隔壁および接合層の一構成例］
図３は、本発明の一実施形態に係る隔壁２０１および接合層２０２の構成例を示す図である。図３は、表示部１１の断面側面図である。なお、図３の例では、１個の隔壁２０１について当該隔壁２０１および接合層２０２の構成例を示すが、他の隔壁についても同様である。
図３には、図２に示される表示部１１の一部の構成例として、隣接する２個の画素領域２１を区画する（仕切る）隔壁２０１および接合層２０２と、その周辺の構成例を示してある。具体的には、駆動基板１０１と、対向基板１０２と、分散液１０４と、隣接する２個の画素領域２１のそれぞれの画素電極１１１ａ、１１１ｂと、これら隣接する２個の画素領域２１を仕切る隔壁２０１および接合層２０２が示されている。
【００２７】
本実施形態では、隔壁２０１は、駆動基板１０１の側に形成されている。当該隔壁２０１の一端が駆動基板１０１の側と一体となっており、当該隔壁２０１の他端が対向基板１０２の側に向かってのびている配置となっている。
ここで、隔壁２０１は、例えば、エッチング処理における粘着物質により、駆動基板１０１に付着される。
【００２８】
また、本実施形態では、接合層２０２は、対向基板１０２の側に備えられている。
なお、本実施形態では、対向基板１０２に備えられる共通電極１１２の面に接合層２０２が備えられている。
【００２９】
ここで、隔壁２０１は、接合層２０２と接していて、当該接合層２０２を押圧している。このように隔壁２０１が接合層２０２に押し当てられた構造（食い込み構造）により、接合層２０２が当該隔壁２０１の周囲で変形している。隔壁２０１が接合層２０２に押し込まれることで、各画素領域２１に閉空間が形成（区画）される。なお、接合層２０２は、例えば、破断されずに変形されるが、他の構成例として、変形を超えて破断される構成が用いられてもよく、この場合、隔壁２０１が対向基板１０２の面（本実施形態では、共通電極１１２の面）に接触する部分があってもよい。
接合層２０２は、弾性体を用いて構成され、例えば、シリコーン樹脂、または、ゴムなどにより構成される。他の構成例として、接合層２０２は、他の弾性体を用いて構成されてもよい。
【００３０】
［接合層および分散媒の屈折率］
ここで、本実施形態に係る表示部１１の構成は、接合層２０２および分散媒（分散液１０４に含まれる分散媒）の屈折率に関する構成が図６に示される構成とは異なる点を除いて、図６に示される構成と同様である。
このため、以下では、本実施形態に係る表示部１１の構成について、図６に示される構成とは異なる点を詳しく説明する。
【００３１】
本実施形態では、接合層２０２の屈折率の値であるｎ（接合層）と、分散液１０４の溶媒（分散媒）の屈折率の値であるｎ（分散媒）は、式（１）の関係式を満たす。
【００３２】
［数１］
ｎ（接合層）＞ｎ（分散媒）    ・・（１）
【００３３】
ここで、材料の具体例を示す。
接合層２０２に関する一例として、接合層２０２をＰＶＡ（ポリビニルアルコール）から構成してもよく、この場合、当該ＰＶＡ（当該接合層２０２）の屈折率は１．５１である。接合層２０２に関する他の一例として、接合層２０２をウレタンから構成してもよく、この場合、当該ウレタン（当該接合層２０２）の屈折率は１．４９である。接合層２０２に関する他の一例として、接合層２０２をアクリルゴムから構成してもよく、この場合、当該アクリルゴム（当該接合層２０２）の屈折率は１．４６５である。
分散媒に関する一例として、分散媒をシリコーンオイルから構成してもよく、この場合、当該シリコーンオイル（当該分散媒）の屈折率は１．４２である。
具体例として、これらの材料を用いると、式（１）が満たされる。なお、接合層２０２および分散媒のそれぞれの材料としては、様々なものが用いられてもよい。
【００３４】
また、本実施形態では、ｎ（接合層）およびｎ（分散媒）と、対向基板１０２の屈折率の値であるｎ（対向基板）に関し、式（２）、式（３）、式（４）の関係式を満たす。
【００３５】
［数２］
θ１＝ａｒｃｓｉｎ｛ｎ（接合層）／ｎ（対向基板）｝    ・・（２）
【００３６】
［数３］
θ２＝ａｒｃｓｉｎ｛ｎ（分散媒）／ｎ（接合層）｝    ・・（３）
【００３７】
［数４］
θ１≦θ２    ・・（４）
【００３８】
ここで、θ１は、対向基板１０２の側から接合層２０２の側を見た場合における臨界角である。なお、本実施形態では、共通電極１１２が当該臨界角θ１に与える影響は小さいとして無視しているが、考慮されてもよい。
また、θ２は、接合層２０２の側から分散液１０４の分散媒の側を見た場合における臨界角である。
【００３９】
本実施形態のように、式（１）が満たされる場合に、式（２）〜式（４）が満たされると、接合層２０２の上側（ここでは、対向基板１０２の側であって当該対向基板１０２よりも上側）から下側（ここでは、分散液１０４の側）へ向かう光は、当該対向基板１０２と当該接合層２０２との界面で全反射しやすく、当該接合層２０２および当該分散液１０４に入りにくい。なお、このような効果は、例えば、式（２）に示される臨界角θ１が小さい方が、大きい。これにより、例えば、導光板１０５の導光パターンによる入射光などの影響を低減することができる。
【００４０】
図４は、本発明の一実施形態に係る入射角に対する反射強度の一例を示す図である。
図４の例では、接合層２０２の屈折率が１．５２であり、分散媒の屈折率が１．３９である場合を示してあり、本実施形態に係る式（１）を満たす場合を示してある。入射角は、接合層２０２の側から分散液１０４（分散媒）の側へ向かう光が当該接合層２０２の面に垂直である場合を角度０度としたときの傾きの角度を表す。
図４に示されるグラフにおいて、横軸は光の入射角［度］を表しており、縦軸は光の反射強度（反射率）を表わしている。当該グラフに、Ｐ波（Ｒｐ）の反射特性１００１と、Ｓ波（Ｒｓ）の反射特性Ｒｓと、Ｐ波とＳ波との平均（（Ｒｐ＋Ｒｓ）／２）の反射特性１００３が示されている。
一例として、本実施形態では、式（２）〜式（４）を満たす構成とすることで、対向基板１０２と接合層２０２との界面における反射強度を大きくして、筋状輝線の影響を低減する。
なお、図４の例では、臨界角は約６６度である。
【００４１】
以上のように、本実施形態に係る電気泳動表示装置１の表示部１１では、対向基板１０２から接合層２０２に光が入るときの臨界角θ１と、接合層２０２から分散媒（分散液１０４に含まれる分散媒）に光が入るときの臨界角θ２に関し、臨界角θ２の値を臨界角θ１以上の値に設定した。この条件を満たすことで、対向基板１０２と食い込み構造を持つ接合層２０２との界面における反射光を大きくすることができ、筋状輝線を低減することができる。本実施形態に係る表示部１１では、例えば、図６および図７に示される筋状輝線の発生を抑制（例えば、防止）することができる。
ここで、本実施形態では、対向基板１０２と接合層２０２との界面で反射光を多くする（言い換えると、接合層２０２と分散媒との界面に斜めに入射する光を減らす）ことで筋状輝線を低減することができる。なお、対向基板１０２と接合層２０２との界面での反射光は、界面が平滑面であるため全反射し続け、表示に影響は小さい。
【００４２】
このように、本実施形態に係る電気泳動表示装置１の表示部１１では、光源（例えば、フロントライトの光源）が点灯したときに隔壁２０１と接合層２０２との食い込み構造に起因して発生する筋状輝線を低減することができ、かつ、黒の表示における輝度上昇を抑えて、輝度のコントラスト性能を向上させることができる。
したがって、本実施形態に係る電気泳動表示装置１では、表示部１１による表示の品質を向上させることができる。
ここで、反射型表示装置の表示特性に関し、外光反射による表示特性は、反射特性となり、白表示の反射率、黒表示の反射率（例えば、白色校正板を反射率１００％と定義する。）で、その白黒の反射率で反射コントラストとしている。一方、フロントライト点灯時による表示特性は、輝度特性となり、白表示の輝度、黒表示の輝度で、その白黒の輝度で輝度コントラストとしている。
【００４３】
ここで、本実施形態に係る電気泳動表示装置１の表示部１１では、フロントライトの光源（ＬＥＤ１０８）を備える場合を示したが、他の構成が用いられてもよい。他の構成例として、表示部１１では、フロントライトの代わりに、バックライトの光源を備えてもよく、または、フロントライトあるいはバックライトの光源を備えずに、外部の光が用いられてもよい。
【００４４】
［表示部の構成例］
ここで、表示部１１の構成例を説明しておく。
駆動基板１０１は、例えば、ガラスあるいはプラスティックなどからなる基板である。
対向基板１０２は、画像を表示する側となり、例えば、ガラス等の透光性を有する基板である。対向基板１０２上に形成される共通電極１１２には、透光性と導電性を有する材質が用いられ、例えばＩＴＯ（インジウム・スズ酸化物）、ＭｇＡｇ（マグネシウム銀）、ＩＺＯ（インジウム・亜鉛酸化物）等が用いられる。
なお、本実施形態では、複数の画素領域２１に共通な共通電極１１２が備えられるが、共通電極１１２の代わりに、複数に分割された複数個の電極が用いられてもよい。これら複数個の電極は、例えば、画素ごとに設けられてもよい。
【００４５】
白色粒子は、例えば、二酸化チタン、亜鉛華、三酸化アンチモン等の白色顔料からなる粒子（高分子あるいはコロイド）であり、例えば負に帯電されている。
黒色粒子は、例えば、アニリンブラック、カーボンブラック等の黒色顔料からなる粒子（高分子あるいはコロイド）であり、例えば正に帯電されている。
この構成により、白色粒子および黒色粒子は、分散媒の中で画素電極１１１と共通電極１１２との間の電位差によって発生する電場の中を移動する。
なお、白色顔料あるいは黒色顔料には、必要に応じて、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等が添加されてもよい。
【００４６】
例えば、画素電極１１１と共通電極１１２との間に、相対的に共通電極１１２の電圧が高くなるように電圧を印加する。すると、正に帯電された黒色粒子はクーロン力によって画素電極１１１の側に引き寄せられる。一方、負に帯電された白色粒子はクーロン力によって共通電極１１２の側に引き寄せられる。この結果、表示面の側（共通電極１１２の側）には白色粒子が集まることになり、表示面には当該白色粒子に対応する色（白色）が表示される。
【００４７】
逆に、画素電極１１１と共通電極１１２との間に相対的に画素電極１１１の電位が高くなるように電圧を印加する。すると、負に帯電された白色粒子はクーロン力によって画素電極１１１の側に引き寄せられる。一方、正に帯電された黒色粒子はクーロン力によって共通電極１１２の側に引き寄せられる。この結果、表示面の側（共通電極１１２の側）には黒色粒子が集まることになり、表示面には当該黒色粒子に対応する色（黒色）が表示される。
【００４８】
また、白色粒子、黒色粒子に用いる顔料を、例えば、赤色、緑色、青色等の顔料に変えることによって、赤色、緑色、青色等を表示する表示部１１を備える電気泳動表示装置１とすることも可能である。なお、各画素の表示の色は、それぞれ、任意であってもよい。また、本実施形態では、白色粒子と黒色粒子の２個の粒子が用いられるが、他の構成例として、１個（のみ）の粒子が用いられてもよく、あるいは、互いに色が異なる３個以上の粒子が用いられてもよい。
【００４９】
また、複数の隔壁により形成される画素領域２１ごとの空間（セルとなる閉空間）が並べられた形状として、本実施形態では、スクエアの形状（例えば、正方体が並べられた形状）が用いられるが、他の構成例として、ハニカムの形状（正六角柱が並べられた形状）など、他の形状が用いられてもよい。
【００５０】
（第２実施形態）
図５（Ａ）〜図５（Ｃ）は、本発明の実施形態（第２実施形態）に係る電子機器の概略的な構成例を示す図である。本実施形態では、以上の実施形態に係る電気泳動表示装置を適用した電子機器の具体例を示す。
【００５１】
図５（Ａ）は、電子機器の一例である電子ブック５０１を示す斜視図である。
電子ブック５０１は、ブック形状のフレーム５１１と、以上の実施形態に係る電気泳動表示装置が適用された表示部５１２と、操作部５１３を備える。
図５（Ｂ）は、電子機器の一例である腕時計５５１を示す斜視図である。
腕時計５５１は、以上の実施形態に係る電気泳動表示装置が適用された表示部５６１を備える。
図５（Ｃ）は、電子機器の一例である電子ペーパー５７１を示す斜視図である。
電子ペーパー５７１は、紙と同様の質感および柔軟性を有するリライタブルシートで構成される本体部５８１と、以上の実施形態に係る電気泳動表示装置が適用された表示部５８２を備える。
なお、以上の実施形態に係る電気泳動表示装置は、他の様々な電子機器に適用されてもよく、例えば、携帯電話、携帯用オーディオ機器等の電子機器の表示部、マニュアル等の業務用シート、教科書、問題集、情報シートなどに適用されてもよい。
また、各電子機器は、例えば、制御部を備え、当該制御部により表示部を制御する。
【００５２】
以上のように、本実施形態に係る電子機器では、以上の実施形態に係る電気泳動表示装置と同様な効果を得ることができる。
【００５３】
（以上の実施形態のまとめ）
一構成例として、電気泳動表示装置（図１の例では、電気泳動表示装置１）では、互いに対向して配置される第１の基板（図２の例では、駆動基板１０１）および第２の基板（図２の例では、対向基板１０２）と、第１の基板と第２の基板との間に配置される分散液（図２の例では、分散液１０４）と、第１の基板と第２の基板との間に配置されて分散液を区画する隔壁（図３の例では、隔壁２０１）と、分散液に含まれる粒子の移動を抑制する移動抑制部（図３の例では、接合層２０２）と、を備え、第２の基板から移動抑制部に光が入るときの第１の臨界角（実施形態では、式（２）に示される臨界角θ１）と、移動抑制部から分散液に含まれる分散媒に光が入るときの第２の臨界角（実施形態では、式（３）に示される臨界角θ２）に関し、第２の臨界角の値は第１の臨界角以上の値である（式（４））。
一構成例として、電気泳動表示装置では、隔壁は第１の基板の側に備えられ、移動抑制部は第２の基板の側に備えられ、移動抑制部は弾性体を用いて構成されており隔壁により変形させられている。
一構成例として、電気泳動表示装置では、移動抑制部は、接合体であり、第２の基板の分散液が配置されている面に備えられている。
一構成例として、電気泳動表示装置では、光源（図２の例では、ＬＥＤ１０８）が実装される第３の基板（図２の例では、配線基板１０７）と、第２の基板の側に配置されて光源からの光を導光する導光体（図２の例では、導光板１０５）と、を備えた。
一構成例として、電子機器（実施形態では、図５（Ａ）〜（Ｃ）に示される電子機器）では、以上のような電気泳動表示装置を備える。
【００５４】
以上、この発明の実施形態について図面を参照して詳述してきたが、具体的な構成はこの実施形態に限られるものではなく、この発明の要旨を逸脱しない範囲の設計等も含まれる。
【００５５】
なお、以上に説明した装置（例えば、電気泳動表示装置、あるいは、電子機器）における任意の構成部（例えば、制御部など）の機能を実現するためのプログラムを、コンピューター読み取り可能な記録媒体（記憶媒体）に記録（記憶）し、そのプログラムをコンピューターシステムに読み込ませて実行するようにしてもよい。なお、ここでいう「コンピューターシステム」とは、オペレーティングシステム（ＯＳ：Ｏｐｅｒａｔｉｎｇ  Ｓｙｓｔｅｍ）あるいは周辺機器等のハードウェアを含むものとする。また、「コンピューター読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｋ）−ＲＯＭ等の可搬媒体、コンピューターシステムに内蔵されるハードディスク等の記憶装置のことをいう。さらに「コンピューター読み取り可能な記録媒体」とは、インターネット等のネットワークあるいは電話回線等の通信回線を介してプログラムが送信された場合のサーバーあるいはクライアントとなるコンピューターシステム内部の揮発性メモリー（ＲＡＭ：Ｒａｎｄｏｍ  Ａｃｃｅｓｓ  Ｍｅｍｏｒｙ）のように、一定時間プログラムを保持しているものも含むものとする。
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【００５６】
１…電気泳動表示装置、１１、５１２、５６１、５８２…表示部、１２…制御部、２１…画素領域、１０１、２１０１…駆動基板、１０２、２１０２…対向基板、１０３、２１０３…封止部、１０４、２１０６…分散液、１０５、２１０７…導光板、１０６、２１０８…透明接着層、１０７、２１０９…配線基板、１０８、２１１０…ＬＥＤ、１１１、１１１ａ、１１１ｂ、２１２１…画素電極、１１２、２１２２…共通電極、２０１、２１０５…隔壁、２０２、２１０４…接合層、５０１…電子ブック、５１１…フレーム、５１３…操作部、５５１…腕時計、５７１…電子ペーパー、５８１…本体部、１００１〜１００３…反射特性
【図１】
2017058401.tif 000003
【図２】
2017058401.tif 000004
【図３】
2017058401.tif 000005
【図４】
2017058401.tif 000006
【図５】
2017058401.tif 000007
【図６】
2017058401.tif 000008
【図７】
2017058401.tif 000009